(57)【要約】【課題】維持放電回路におけるエネルギー回収率を向上させることのできるプラズマ表示装置を提供する。【解決手段】本発明のプラズマ表示装置は、維持期間の間に維持放電を遂行するＸ電極とＹ電極にＶｓ電圧と０Ｖ電圧を反対位相で印加する。この時、Ｙ電極に連結されたインダクターＬｙを通じてＹ電極の電圧を減少させた後にＹ電極をフローティングし、Ｙ電極の電圧をΔＶｆ電圧に維持する（Ｍ２）。次に、Ｙ電極の電圧をΔＶｆ電圧から０Ｖ電圧に変更する間、Ｘ電極に連結されたインダクターＬｘに流れる電流の大きさを増加させる（Ｍ３）。その後に、インダクターＬｘを利用してＸ電極の電圧をＶｓ電圧まで増加させる（Ｍ４）。このように、インダクターＬｘにエネルギーを蓄積させた後にＸ電極の電圧を上昇させるので、Ｖｓ電圧まで充分に上昇させることができる。【選択図】図４
2008077046.tif 000002
【特許請求の範囲】
【請求項１】
第１電極と第２電極を含むプラズマ表示装置の駆動方法において、
前記第１電極の電圧を第１電圧から減少させる第１段階と、
前記第１電極の電圧を、前記第１電圧より低い第２電圧に維持する第２段階と、
前記第１電極の電圧を、前記第２電圧から前記第２電圧より低い第３電圧に変更すると共に、前記第２電極に連結された第１インダクターに流れる電流の大きさを増加させる第３段階と、
前記第１電極に前記第３電圧を印加する間、前記第１インダクターを通じて前記第２電極の電圧を第４電圧まで増加させる第４段階と
を含むことを特徴とするプラズマ表示装置の駆動方法。
【請求項２】
前記第３段階は、前記第１インダクターを通じて前記第２電極の電圧を増加させることを特徴とする請求項１に記載のプラズマ表示装置の駆動方法。
【請求項３】
前記第２段階は、前記第１電極をフローティングする段階をさらに含むことを特徴とする請求項１または請求項２に記載のプラズマ表示装置の駆動方法。
【請求項４】
前記第２電極の電圧を第４電圧から減少させる第５段階と、
前記第２電極の電圧を、前記第４電圧より低い第５電圧に維持する第６段階と、
前記第２電極の電圧を、前記第５電圧から第６電圧に減少させると共に、前記第１電極に連結された第２インダクターに流れる電流の大きさを増加させる第７段階と、
前記第２電極に前記第６電圧を印加する間、前記第２インダクターを通じて前記第１電極の電圧を増加させる第８段階と
をさらに含むことを特徴とする請求項１乃至３のうちのいずれか一項に記載のプラズマ表示装置の駆動方法。
【請求項５】
前記第１段階及び前記第２段階の間、前記第２電極は前記第６電圧に維持され、前記第５段階及び前記第６段階の間、前記第１電極は前記第３電圧に維持されることを特徴とする請求項４に記載のプラズマ表示装置の駆動方法。
【請求項６】
前記第６段階は、前記第２電極をフローティングする段階をさらに含むことを特徴とする請求項４または請求項５に記載のプラズマ表示装置の駆動方法。
【請求項７】
前記第４段階の後に、前記第１電極の電圧を前記第３電圧に維持した状態で、前記第２電極に前記第４電圧を印加する段階と、
前記第８段階の後に、前記第２電極の電圧を前記第６電圧に維持した状態で、前記第１電極に前記第１電圧を印加する段階と
をさらに含むことを特徴とする請求項４乃至６のうちのいずれか一項に記載のプラズマ表示装置の駆動方法。
【請求項８】
前記第３電圧と前記第６電圧は同一な電圧であり、前記第１電圧と前記第４電圧は同一な電圧であることを特徴とする請求項４乃至７のうちのいずれか一項に記載のプラズマ表示装置の駆動方法。
【請求項９】
表示動作を行う第１電極及び第２電極を含むプラズマ表示パネルと、
前記第１電極に連結されている第１インダクター及び前記第２電極に連結されている第２インダクターを含み、維持期間の間に前記第１電極及び前記第２電極に、それぞれ第１電圧と前記第１電圧より低い第２電圧とを反対位相で印加する駆動回路とを含み、
前記駆動回路は、
第１期間の間には、前記第１電極の電圧を、前記第１電圧より低い第３電圧から前記第２電圧まで変更させると共に、前記第２インダクターにエネルギーを蓄積し、
第２期間の間には、前記第２電極の電圧を、前記第１電圧より低い第４電圧から前記第２電圧まで変更させると共に、前記第１インダクターにエネルギーを蓄積することを特徴とするプラズマ表示装置。
【請求項１０】
前記駆動回路は、
前記第１期間の間に前記第２インダクターを前記第２電極に電気的に連結し、前記第２期間の間に前記第１インダクターを前記第１電極に電気的に連結することを特徴とする請求項９に記載のプラズマ表示装置。
【請求項１１】
前記駆動回路は、
前記第１期間の前に前記第１電極をフローティングすることを特徴とする請求項９または請求項１０に記載のプラズマ表示装置。
【請求項１２】
前記駆動回路は、
前記第１インダクターを通じて前記第１電極の電圧を前記第１電圧から前記第３電圧まで減少させ、
前記第２インダクターを通じて前記第２電極の電圧を前記第１電圧から前記第４電圧まで減少させることを特徴とする請求項９乃至１１のうちのいずれか一項に記載のプラズマ表示装置。
【請求項１３】
前記駆動回路は、
前記第１期間の後に前記第１電極の電圧を前記第２電圧に維持した状態で、前記第２インダクターを通じて前記第２電極の電圧を増加させ、
前記第２期間の後に前記第２電極の電圧を前記第２電圧に維持した状態で、前記第１インダクターを通じて前記第１電極の電圧を増加させることを特徴とする請求項９乃至１２のうちのいずれか一項に記載のプラズマ表示装置。
【請求項１４】
表示動作を行う複数の第１電極及び第２電極を含むプラズマ表示装置を駆動するための駆動装置において、
第１電圧を供給する第１電源と前記第１電極との間に連結されている第１トランジスターと、
前記第１電圧より低い第２電圧を供給する第２電源と前記第１電極との間に連結されている第２トランジスターと、
前記第１電極に第１端が連結されている第１インダクターと、
前記第１インダクターの第２端と、前記第１電圧と前記第２電圧との間の第３電圧を供給する第３電源との間に連結され、導通時には前記第１電極の電圧を減少させる経路を形成する第３トランジスターと、
前記第２電極に第１端が連結されている第２インダクターと、
前記第２インダクターの第２端と、前記第１電圧と前記第２電圧との間の第４電圧を供給する第４電源との間に連結され、導通時には前記第２電極の電圧を増加させる経路を形成する第４トランジスターとを含み、
前記第１電極の電圧が前記第３電圧より低い第５電圧の状態で、前記第１電極の電圧を前記第２電圧に変更する第１期間の間には、前記第４トランジスターを導通させることを特徴とするプラズマ表示装置の駆動装置。
【請求項１５】
前記第１期間の間には、前記第２トランジスターを導通させることを特徴とする請求項１４に記載のプラズマ表示装置の駆動装置。
【請求項１６】
前記第１期間の前の第２期間の間には、前記第１電極をフローティングさせることを特徴とする請求項１４または請求項１５に記載のプラズマ表示装置の駆動装置。
【請求項１７】
前記第１期間の後の第３期間の間には、前記第２トランジスタ及び前記第４トランジスターを導通状態に維持し、
前記第４電源、前記第２インダクター及び前記第２電極で形成される経路を通じて、前記第２電極の電圧が増加することを特徴とする請求項１４乃至１６のうちのいずれか一項に記載のプラズマ表示装置の駆動装置。
【請求項１８】
前記第１電源と前記第２電極との間に連結されている第５トランジスターをさらに含み、
前記第３期間の後の第４期間の間には、前記第２トランジスターを導通状態に維持し、前記第５トランジスターを導通させることを特徴とする請求項１７に記載のプラズマ表示装置の駆動装置。
【請求項１９】
前記第２電源と前記第２電極との間に連結されている第６トランジスターをさらに含み、
前記第３トランジスター及び前記第６トランジスターを導通させた後、前記第１電極及び前記第２電極をフローティングして、前記第１電極の電圧を前記第５電圧に維持することを特徴とする請求項１４乃至１８のうちのいずれか一項に記載のプラズマ表示装置の駆動装置。
【請求項２０】
前記第２インダクターの第２端と前記第４電源との間に連結され、導通時には前記第２電極の電圧を減少させる経路を形成する第７トランジスターと、
前記第１インダクターの第２端と前記第３電源との間に連結され、導通時には前記第１電極の電圧を増加させる経路を形成する第８トランジスターとをさらに含み、
前記第２電極の電圧が、前記第４電圧より低い第６電圧が印加された状態で、前記第２電極の電圧を前記第２電圧に変更する第５期間の間、前記第８トランジスターを導通させることを特徴とする請求項１４乃至１９のうちのいずれか一項に記載のプラズマ表示装置の駆動装置。
【請求項２１】
前記第１電極に前記第１電圧を印加する間には、前記第２電極に前記第２電圧を印加し、前記第１電極に前記第２電圧を印加する間には、前記第２電極に前記第１電圧を印加することを特徴とする請求項１４乃至２０のうちのいずれか一項に記載のプラズマ表示装置の駆動装置。
【請求項２２】
第１電極と第２電極を含むプラズマ表示装置の駆動方法において、
前記第１電極の電圧を第１電圧に維持した状態で、前記第２電極に連結された第１インダクターを通じて、前記第２電極の電圧を前記第１電圧より高い第２電圧まで減少させる第１段階と、
前記第１段階の後に前記第２電極の電圧を前記第２電圧から前記第１電圧まで減少させると共に、前記第１電極に連結された第２インダクターにエネルギーを蓄積する第２段階と、
前記第２電極の電圧を前記第１電圧に維持した状態で、前記第２インダクターを通じて、前記第１電極の電圧を第３電圧まで増加させる第３段階と、
前記第２電極の電圧を前記第１電圧に維持した状態で、前記第２インダクターを通じて、前記第１電極の電圧を、前記第３電圧から前記第１電圧より高い第４電圧まで減少させる第４段階と、
前記第１電極の電圧を、前記第４電圧から前記第１電圧まで減少させると共に、前記第１インダクターにエネルギーを蓄積する第５段階と、
前記第１電極の電圧を前記第１電圧に維持した状態で、前記第１インダクターを通じて、前記第２電極の電圧を前記第３電圧まで増加させる第６段階と
を含むことを特徴とするプラズマ表示装置の駆動方法。
【請求項２３】
前記第１段階と前記第２段階との間、前記第４段階と前記第５段階との間の少なくとも一つで、前記第１電極及び前記第２電極をフローティングする段階をさらに含むことを特徴とする請求項２２に記載のプラズマ表示装置の駆動方法。
【請求項２４】
前記第３段階の後に前記第２電極の電圧を前記第１電圧に維持した状態で、前記第１電極に前記第３電圧を印加する段階と、
前記第６段階の後に前記第１電極の電圧を前記第１電圧に維持した状態で、前記第２電極に前記第３電圧を印加する段階とをさらに含むことを特徴とする請求項２２または請求項２３に記載のプラズマ表示装置の駆動方法。
【発明の詳細な説明】
【技術分野】
【０００１】
本発明は、プラズマ表示装置の駆動装置及びその駆動方法に係り、特に、維持放電回路に関するものである。
【背景技術】
【０００２】
プラズマ表示装置は、気体放電によって生成されたプラズマを利用して、文字又は映像を表示するプラズマ表示パネルを利用した表示装置である。このようなプラズマ表示パネルには、複数の放電セルがマトリックス状に配列されている。
【０００３】
一般的に、プラズマ表示装置では、一つのフレームが複数のサブフィールドに分割されて駆動されており、複数のサブフィールドのうち、表示動作が行われるサブフィールドの加重値の組み合わせによって階調が表示される。各サブフィールドでは、アドレス期間の間、点灯されるセルと点灯されないセルが選択され、維持期間の間、実際に映像を表示するために、点灯されるセルに対して維持放電が行われる。
【０００４】
このような動作を実行するために、維持期間の間、維持放電を遂行する電極にハイレベル電圧とローレベル電圧が交互に印加される。この時、維持放電が起こる二つの電極は容量性成分で作用するので、電極にハイレベル電圧又はローレベル電圧を印加するためには無効電力が必要である。したがって、プラズマ表示装置の維持放電回路では、無効電力を回収して再使用するエネルギー回収回路が使用されている。従来のエネルギー回収回路としては、Ｌ.Ｆ.Ｗｅｂｅｒによって提案された回路（特許文献１及び２）がある。しかし、スイッチの電圧降下やダイオードの電圧降下、インダクターの漏れ成分及び回路に寄生可能な漏れ抵抗などによってエネルギー回収率が低下してしまう問題点があった。
【特許文献１】米国特許第４,８６６,３４９号
【特許文献２】米国特許第５,０８１,４００号
【発明の開示】
【発明が解決しようとする課題】
【０００５】
本発明が解決しようとする技術的課題は、維持放電回路におけるエネルギー回収率を向上させることのできるプラズマ表示装置、プラズマ表示装置の駆動装置及びその駆動方法を提供することにある。
【課題を解決するための手段】
【０００６】
本発明の一つの特徴によれば、第１電極と第２電極を含むプラズマ表示装置の駆動方法が提供される。この駆動方法は、前記第１電極の電圧を第１電圧から減少させる第１段階と、前記第１電極の電圧を、前記第１電圧より低い第２電圧に維持する第２段階と、前記第１電極の電圧を、前記第２電圧から前記第２電圧より低い第３電圧に変更すると共に、前記第２電極に連結された第１インダクターに流れる電流の大きさを増加させる第３段階と、前記第１電極に前記第３電圧を印加する間、前記第１インダクターを通じて前記第２電極の電圧を第４電圧まで増加させる第４段階とを含むことを特徴とする。
【０００７】
本発明の他の特徴によれば、表示動作を行う第１電極及び第２電極を含むプラズマ表示パネルと、前記第１電極に連結されている第１インダクター及び前記第２電極に連結されている第２インダクターを含み、維持期間の間に前記第１電極及び前記第２電極に、それぞれ第１電圧と前記第１電圧より低い第２電圧とを反対位相で印加する駆動回路とを含むプラズマ表示装置が提供される。このプラズマ表示装置の駆動回路は、第１期間の間には、前記第１電極の電圧を、前記第１電圧より低い第３電圧から前記第２電圧まで変更させると共に、前記第２インダクターにエネルギーを蓄積し、第２期間の間には、前記第２電極の電圧を、前記第１電圧より低い第４電圧から前記第２電圧まで変更させると共に、前記第１インダクターにエネルギーを蓄積することを特徴とする。
【０００８】
本発明のまた他の特徴によれば、表示動作を行う複数の第１電極及び第２電極を含むプラズマ表示装置を駆動するための駆動装置が提供される。この駆動装置は、第１電圧を供給する第１電源と前記第１電極との間に連結されている第１トランジスターと、前記第１電圧より低い第２電圧を供給する第２電源と前記第１電極との間に連結されている第２トランジスターと、前記第１電極に第１端が連結されている第１インダクターと、前記第１インダクターの第２端と、前記第１電圧と前記第２電圧との間の第３電圧を供給する第３電源との間に連結され、導通時には前記第１電極の電圧を減少させる経路を形成する第３トランジスターと、前記第２電極に第１端が連結されている第２インダクターと、前記第２インダクターの第２端と、前記第１電圧と前記第２電圧との間の第４電圧を供給する第４電源との間に連結され、導通時には前記第２電極の電圧を増加させる経路を形成する第４トランジスターとを含み、前記第１電極の電圧が前記第３電圧より低い第５電圧の状態で、前記第１電極の電圧を前記第２電圧に変更する第１期間の間には、前記第４トランジスターを導通させることを特徴とする。
【０００９】
本発明のまた他の特徴によれば、第１電極と第２電極を含むプラズマ表示装置の駆動方法が提供される。このプラズマ表示装置の駆動方法は、前記第１電極の電圧を第１電圧に維持した状態で、前記第２電極に連結された第１インダクターを通じて、前記第２電極の電圧を前記第１電圧より高い第２電圧まで減少させる第１段階と、前記第１段階の後に前記第２電極の電圧を前記第２電圧から前記第１電圧まで減少させると共に、前記第１電極に連結された第２インダクターにエネルギーを蓄積する第２段階と、前記第２電極の電圧を前記第１電圧に維持した状態で、前記第２インダクターを通じて、前記第１電極の電圧を第３電圧まで増加させる第３段階と、前記第２電極の電圧を前記第１電圧に維持した状態で、前記第２インダクターを通じて、前記第１電極の電圧を、前記第３電圧から前記第１電圧より高い第４電圧まで減少させる第４段階と、前記第１電極の電圧を、前記第４電圧から前記第１電圧まで減少させると共に、前記第１インダクターにエネルギーを蓄積する第５段階と、前記第１電極の電圧を前記第１電圧に維持した状態で、前記第１インダクターを通じて、前記第２電極の電圧を前記第３電圧まで増加させる第６段階とを含むことを特徴とする。
【発明の効果】
【００１０】
本発明によれば、維持期間においてエネルギー回収回路を使用する際に、エネルギー回収率を向上させることができる。
【発明を実施するための最良の形態】
【００１１】
以下、添付した図面を参照して、本発明の実施例について本発明が属する技術分野における通常の知識を有する者が容易に実施できるように詳しく説明する。ただし、本発明はさまざまな相違した形態で実現することができ、ここで説明する実施例に限定されるわけではない。
【００１２】
また、図面において、本発明を明確に説明するために説明上不要な部分については省略した。明細書全体を通じて類似な部分については同一の符号を付与した。ある部分が他の部分と連結されていると記載されている場合、これは直接に連結されている場合だけでなく、その間に他の素子を介して連結されている場合も含んでいる。
【００１３】
以下、本発明の一実施例に係るプラズマ表示装置、プラズマ表示装置の駆動装置及びその駆動方法について詳細に説明する。
【００１４】
図１は、本発明の一実施例に係るプラズマ表示装置の構成を示すブロック図であり、図２は、本発明の一実施例に係るプラズマ表示装置の駆動波形を示す図である。
【００１５】
図１に示したように、本発明の一実施例に係るプラズマ表示装置は、プラズマ表示パネル１００、制御部２００、アドレス電極駆動部３００、走査電極駆動部４００及び維持電極駆動部５００を含んでいる。
【００１６】
プラズマ表示パネル１００は、列方向に延びている複数のアドレス電極（以下、“Ａ電極”という）（Ａ１−Ａｍ）、そして行方向に互いに対を成して延びている複数の維持電極（以下、“Ｘ電極”という）（Ｘ１−Ｘｎ）及び走査電極（以下、“Ｙ電極”という）（Ｙ１−Ｙｎ）を含んでいる。一般的に、Ｘ電極（Ｘ１−Ｘｎ）は、各Ｙ電極（Ｙ１−Ｙｎ）に対応して形成されており、Ｘ電極（Ｘ１−Ｘｎ）とＹ電極（Ｙ１−Ｙｎ）が、維持期間において画像を表示するための表示動作を行う。Ｙ電極（Ｙ１−Ｙｎ）とＸ電極（Ｘ１−Ｘｎ）はＡ電極（Ａ１−Ａｍ）と直交するように配置されている。この時、Ａ電極（Ａ１−Ａｍ）と、Ｘ電極及びＹ電極（Ｘ１−Ｘｎ、Ｙ１−Ｙｎ）との交差部にある放電空間がセル１１０を形成する。このようなプラズマ表示パネル１００の構造は一例であり、後述する駆動波形を適用できる他の構造のパネルも本発明に適用することができる。
【００１７】
制御部２００は、外部から映像信号を受信して、Ａ電極駆動制御信号、Ｘ電極駆動制御信号及びＹ電極駆動制御信号を出力する。そして、制御部２００は、一つのフレームを複数のサブフィールドに分割して駆動し、各サブフィールドは、時間的な動作変化で表現すれば、リセット期間、アドレス期間及び維持期間から構成されている。
【００１８】
アドレス電極駆動部３００は、制御部２００からＡ電極駆動制御信号を受信して、表示しようとする放電セルを選択するための表示データ信号を、各Ａ電極に印加する。
【００１９】
走査電極駆動部４００は、制御部２００からＹ電極駆動制御信号を受信して、Ｙ電極に駆動電圧を印加する。
【００２０】
維持電極駆動部５００は、制御部２００からＸ電極駆動制御信号を受信して、Ｘ電極に駆動電圧を印加する。
【００２１】
具体的に、各サブフィールドのアドレス期間において、アドレス電極駆動部３００、走査電極駆動部４００及び維持電極駆動部５００は、複数の放電セル１１０のうち、当該サブフィールドで点灯させる放電セルと点灯させない放電セルを選択する。各サブフィールドの維持期間には、走査電極駆動部４００は、複数のＹ電極（Ｙ１−Ｙｎ）に対して、図２に示したようなハイレベル電圧（Ｖｓ）及びローレベル電圧（０Ｖ）を交互に有する維持放電パルスを、当該サブフィールドの加重値に相当する回数だけ印加する。そして、維持電極駆動部５００は、複数のＸ電極（Ｘ１−Ｘｎ）に対して、Ｙ電極（Ｙ１−Ｙｎ）に印加される維持放電パルスと反対位相の維持放電パルスを印加する。このようにすれば、各Ｙ電極と各Ｘ電極との間の電圧差が＋Ｖｓ電圧と−Ｖｓ電圧を交互に有し、そのために、点灯する放電セルにおいて、維持放電が所定の回数だけ繰り返して起こる。
【００２２】
そして、維持期間において、制御部２００は、複数のＹ電極（Ｙ１−Ｙｎ）の電圧をハイレベル電圧（Ｖｓ）からローレベル電圧（０Ｖ）まで減少させる期間（Ｔ２）を、複数のＹ電極（Ｙ１−Ｙｎ）の電圧をローレベル電圧（０Ｖ）からハイレベル電圧（Ｖｓ）まで増加させる期間（Ｔ１）よりも長くなるように設定する。同様に、制御部２００は、複数のＸ電極（Ｘ１−Ｘｎ）の電圧をハイレベル電圧（Ｖｓ）からローレベル電圧（０Ｖ）まで減少させる期間（Ｔ４）を、複数のＸ電極（Ｘ１−Ｘｎ）の電圧をローレベル電圧（０Ｖ）からハイレベル電圧（Ｖｓ）まで増加させる期間（Ｔ３）よりも長くなるように設定する。
【００２３】
次に、図２の維持放電パルスを供給する維持放電回路について、図３を参照して詳細に説明する。
【００２４】
図３は、本発明の一実施例に係るプラズマ表示装置の維持放電回路の構成を概略的に示した回路図である。図３では、説明の便宜上、一つのＹ電極（Ｙ）と一つのＸ電極（Ｘ）だけを示しており、Ｙ電極（Ｙ）とＸ電極（Ｘ）によって形成される容量性成分をパネルキャパシタ（Ｃｐ）として示している。そして、図３では、トランジスター（Ｙｓ、Ｙｒ、Ｙｆ、Ｙｇ、Ｘｓ、Ｘｒ、Ｘｆ、Ｘｇ）をｎチャンネル電界効果トランジスター、特にＮＭＯＳ（n-channel metal oxide semiconductor）トランジスターとして示しており、これらトランジスター（Ｙｓ、Ｙｒ、Ｙｆ、Ｙｇ、Ｘｓ、Ｘｒ、Ｘｆ、Ｘｇ）には、ソースからドレーン方向にボディーダイオードが形成されている。そして、ＮＭＯＳトランジスターの代わりに、類似な機能を有する他のトランジスターをこれらのトランジスター（Ｙｓ、Ｙｒ、Ｙｆ、Ｙｇ、Ｘｓ、Ｘｒ、Ｘｆ、Ｘｇ）として使用することも可能である。また、図３では、トランジスター（Ｙｓ、Ｙｒ、Ｙｆ、Ｙｇ、Ｘｓ、Ｘｒ、Ｘｆ、Ｘｇ）を各々、一つのトランジスターとして示したが、トランジスター（Ｙｓ、Ｙｒ、Ｙｆ、Ｙｇ、Ｘｓ、Ｘｒ、Ｘｆ、Ｘｇ）を各々並列に連結された複数のトランジスターとして形成することも可能である。
【００２５】
図３に示したように、本発明の一実施例に係るプラズマ表示装置の維持放電回路は、Ｙ電極維持放電回路４１０及びＸ電極維持放電回路５１０を含んでいる。Ｙ電極維持放電回路４１０は複数のＹ電極（Ｙ１−Ｙｎ）に連結されており、図１の走査電極駆動部４００に形成することが可能である。一方、Ｘ電極維持放電回路５１０は複数のＸ電極（Ｘ１−Ｘｎ）に連結されており、図１の維持電極駆動部５００に形成することが可能である。
【００２６】
Ｙ電極維持放電回路４１０は、維持放電部４１１及びエネルギー回収部４１２を含んでいる。維持放電部４１１はトランジスター（Ｙｓ、Ｙｇ）を含んでおり、トランジスター（Ｙｓ、Ｙｇ）のスイッチング動作によって、Ｙ電極にＶｓ電圧又は０Ｖ電圧を印加することができる。エネルギー回収部４１２は、トランジスター（Ｙｒ、Ｙｆ）、インダクター（Ｌｙ）、キャパシタ（Ｃｙ）及びダイオード（Ｄｙｒ、Ｄｙｆ、Ｄｙ１、Ｄｙ２）を含んでおり、インダクター（Ｌｙ）とパネルキャパシタ（Ｃｐ）の共振を利用して、パネルキャパシタ（Ｃｐ）のＹ電極の電圧をＶｓ電圧に充電したり、０Ｖ電圧に放電したりする役割を果たしている。
【００２７】
このようなＹ電極維持放電回路４１０において、トランジスター（Ｙｓ）のドレーンはハイレベル電圧（Ｖｓ）を供給する電源（Ｖｓ）に連結され、トランジスター（Ｙｓ）のソースはＹ電極に連結されている。トランジスター（Ｙｇ）のソースは、ローレベル電圧（０Ｖ）を供給する電源（つまり、接地端）に連結され、トランジスター（Ｙｇ）のドレーンはＹ電極に連結されている。
【００２８】
インダクター（Ｌｙ）の第１端はＹ電極に連結されており、インダクター（Ｌｙ）の第２端には、ダイオード（Ｄｙｒ）のカソードとダイオード（Ｄｙｆ）のアノードとが連結されている。トランジスター（Ｙｒ）のソースがダイオード（Ｄｙｒ）のアノードに連結され、トランジスター（Ｙｆ）のドレーンがダイオード（Ｄｙｆ）のカソードに連結されている。そして、トランジスター（Ｙｒ）のドレーンとトランジスター（Ｙｆ）のソースが、エネルギー回収用電源であるキャパシタ（Ｃｙ）に連結されている。
【００２９】
ここで、キャパシタ（Ｃｙ）は、ハイレベル電圧（Ｖｓ）とローレベル電圧（０Ｖ）との間の電圧を供給し、特に二つの電圧（Ｖｓ、０Ｖ）の中間電圧（Ｖｓ/２）を供給している。そして、ダイオード（Ｄｙｒ）は、Ｙ電極の電圧を増加させるための電流経路を設定し、ダイオード（Ｄｙｆ）は、Ｙ電極の電圧を減少させるための電流経路を設定している。この時、トランジスター（Ｙｒ、Ｙｆ）がボディーダイオードを有していなければ、ダイオード（Ｄｙｒ、Ｄｙｆ）を除去することも可能である。そして、ダイオード（Ｄｙｒ）とトランジスター（Ｙｒ）の位置を互いに変えることも可能であり、ダイオード（Ｄｙｆ）とトランジスター（Ｙｆ）の位置を互いに変えることも可能である。そして、電源（Ｖｓ）とインダクター（Ｌｙ）の第２端との間及び接地端とインダクター（Ｌｙ）の第２端との間には、インダクター（Ｌｙ）の第２端の電位をクランピングするダイオード（Ｄｙ１、Ｄｙ２）を形成することができる。
【００３０】
再び図３を見れば、Ｘ電極維持放電回路５１０は、維持放電部５１１及びエネルギー回収部５１２を含んでいる。維持放電部５１１はトランジスター（Ｘｓ、Ｘｇ）を含んでおり、トランジスター（Ｘｓ、Ｘｇ）のスイッチング動作により、Ｘ電極にＶｓ電圧又は０Ｖ電圧を印加する。エネルギー回収部５１２は、トランジスター（Ｘｒ、Ｘｆ）、インダクター（Ｌｘ）、キャパシタ（Ｃｘ）及びダイオード（Ｄｘｒ、Ｄｘｆ、Ｄｘ１、Ｄｘ２）を含んでおり、インダクター（Ｌｘ）とパネルキャパシタ（Ｃｐ）の共振を利用して、パネルキャパシタ（Ｃｐ）のＸ電極の電圧をＶｓ電圧に充電したり、０Ｖ電圧に放電したりする役割を果たしている。
【００３１】
このようなＸ電極維持放電回路５１０において、トランジスター（Ｘｓ）のドレーンはハイレベル電圧（Ｖｓ）を供給する電源（Ｖｓ）に連結され、トランジスター（Ｘｓ）のソースはＸ電極に連結されている。トランジスター（Ｘｇ）のソースは、ローレベル電圧（０Ｖ）を供給する電源（つまり、接地端）に連結され、トランジスター（Ｘｇ）のドレーンはＸ電極に連結されている。
【００３２】
インダクター（Ｌｘ）の第１端はＸ電極に連結されており、インダクター（Ｌｘ）の第２端には、ダイオード（Ｄｘｒ）のカソードとダイオード（Ｄｘｆ）のアノードが連結されている。トランジスター（Ｘｒ）のソースがダイオード（Ｄｘｒ）のアノードに連結され、トランジスター（Ｘｆ）のドレーンがダイオード（Ｄｘｆ）のカソードに連結されている。そして、トランジスター（Ｘｒ）のドレーンとトランジスター（Ｘｆ）のソースが、エネルギー回収用電源のキャパシタ（Ｃｘ）に連結されている。
【００３３】
ここで、キャパシタ（Ｃｘ）は、ハイレベル電圧（Ｖｓ）とローレベル電圧（０Ｖ）との間の電圧を供給し、特に二つの電圧（Ｖｓ、０Ｖ）の中間電圧（Ｖｓ/２）を供給している。そして、ダイオード（Ｄｘｒ）は、Ｘ電極の電圧を増加させるための電流経路を設定し、ダイオード（Ｄｘｆ）は、Ｘ電極の電圧を減少させるための電流経路を設定する。この時、トランジスター（Ｘｒ、Ｘｆ）がボディーダイオードを有していなければ、ダイオード（Ｄｘｒ、Ｄｘｆ）を除去することも可能である。そして、ダイオード（Ｄｘｒ）とトランジスター（Ｘｒ）の位置を互いに変えることもでき、ダイオード（Ｄｘｆ）とトランジスター（Ｘｆ）の位置を互いに変えることもできる。そして、電源（Ｖｓ）とインダクター（Ｌｘ）の第２端との間及び接地端とインダクター（Ｌｘ）の第２端との間には、インダクター（Ｌｘ）の第２端の電位をクランピングするダイオード（Ｄｘ１、Ｄｘ２）を形成することができる。
【００３４】
次に、図３に示したプラズマ表示装置の維持放電回路の動作について、図４、図５Ａ乃至５Ｆを参照して説明する。図４は、図３に示した維持放電回路の一実施例に係る信号タイミング図であり、図５Ａ乃至図５Ｆは、図４に示す各信号タイミングにおける図３の維持放電回路の動作を示した図である。図４のモード１（Ｍ１）の直前のモード１０（Ｍ１０）では、トランジスター（Ｙｓ、Ｘｇ）が導通されてＹ電極にＶｓ電圧が印加され、Ｘ電極に０Ｖ電圧が印加されていると仮定する。
【００３５】
（１）モード１（Ｍ１）−図５Ａ参照
モード１（Ｍ１）では、図４のＭ１に示すように、トランジスター（Ｘｇ）が導通した状態でトランジスター（Ｙｆ）を導通する。そうすると、Ｘ電極の電圧が０Ｖ電圧に維持された状態で、図５Ａに示すように、接地端、トランジスター（Ｘｇ）のボディーダイオード、パネルキャパシタ（Ｃｐ）、インダクター（Ｌｙ）、ダイオード（Ｄｙｆ）、トランジスター（Ｙｆ）及びキャパシタ（Ｃｙ）という電流経路が形成される。この時、パネルキャパシタ（Ｃｐ）とインダクター（Ｌｙ）との間で共振が発生する。この共振によって、パネルキャパシタ（Ｃｐ）に貯蔵されたエネルギーがインダクター（Ｌｙ）を通じてキャパシタ（Ｃｙ）に回収されながら、Ｙ電極の電圧がＶｓ電圧から減少する。しかし、理想的には、共振によってＹ電極の電圧が０Ｖ電圧まで減少しなければならないが、トランジスター（Ｙｆ）の電圧降下やダイオード（Ｄｙｆ）の電圧降下、インダクター（Ｌｙ）の漏れ成分及び回路の寄生成分により、Ｙ電極の電圧は０Ｖ電圧よりも高いΔＶｆ電圧まで減少する。
【００３６】
（２）モード２（Ｍ２）−図５Ａ参照
モード２（Ｍ２）では、図４のＭ２に示すように、トランジスター（Ｙｆ、Ｘｇ）を所定の期間だけ導通状態に維持した後、トランジスター（Ｙｆ、Ｘｇ）を遮断してＹ電極をフローティングする。そうすると、Ｙ電極の電圧がΔＶｆ電圧に維持される。
【００３７】
（３）モード３（Ｍ３）−図５Ｂ参照
モード３（Ｍ３）では、図４のＭ３に示すように、トランジスター（Ｙｇ、Ｘｒ）を導通する。そうすると、キャパシタ（Ｃｘ）、トランジスター（Ｘｒ）、ダイオード（Ｄｘｒ）、インダクター（Ｌｘ）、パネルキャパシタ（Ｃｐ）、トランジスター（Ｙｇ）及び接地端という電流経路が形成される。この時、パネルキャパシタ（Ｃｐ）、トランジスター（Ｙｇ）及び接地端の経路インピーダンスにより、Ｙ電極の電圧はΔＶｆ電圧から０Ｖ電圧まで所定の傾きを有して減少する。このように、Ｙ電極の電圧がΔＶｆ電圧から０Ｖ電圧まで減少する間、キャパシタ（Ｃｘ）、トランジスター（Ｘｒ）、ダイオード（Ｄｘｒ）、インダクター（Ｌｘ）及びパネルキャパシタ（Ｃｐ）の経路を通じてＸ電極に電流が供給されるが、Ｘ電極の電圧はほとんど上昇できない。具体的に説明すると、Ｘ電極とＹ電極との間のパネルキャパシタ（Ｃｐ）のために、Ｙ電極の電圧がΔＶｆ電圧だけ減少する間に、Ｘ電極には（ΔＶｆ×Ｃｐ）だけの電流が注入されないと、Ｘ電極の電圧を変わらずに維持することはできない。仮に、Ｘ電極に電流が全く注入されなければ、Ｙ電極の電圧が減少した分だけ、Ｘ電極の電圧もまた減少する。逆に、インダクター（Ｌｘ）を通じてＸ電極に注入される電流量が（ΔＶｆ×Ｃｐ）よりも大きければ、モード３（Ｍ３）の最後には、Ｘ電極の電圧はその差の分だけ増加することになる。したがって、インダクター（Ｌｘ）に注入される電流が非常に大きくなければ、Ｘ電極の電圧はほとんど上昇せずに維持されているように見えることになる。
【００３８】
このように、インダクター（Ｌｘ）の両端間の電圧がほとんど変わらない状態を維持しているので、インダクター（Ｌｘ）に流れる電流ＩＬｘは式（１）の状態に増加する。
【数１】
2008077046.tif 000003
【００３９】
ここで、ＶＥＲＣは、キャパシタ（Ｃｘ）に充電されている電圧であり、ΔＴ１は、モード３（Ｍ３）の時間である。
【００４０】
（４）モード４（Ｍ４）−図５Ｂ参照
モード４（Ｍ４）では、図４のＭ４に示すように、モード３（Ｍ３）でトランジスター（Ｙｇ、Ｘｒ）が導通された状態を維持する。この時、パネルキャパシタ（Ｃｐ）とインダクター（Ｌｘ）との間で共振が発生する。この共振によって、キャパシタ（Ｃｘ）に充電されたエネルギーがインダクター（Ｌｘ）を通じてＸ電極に注入され、Ｘ電極の電圧が０Ｖ電圧からＶｓ−ΔＶｒ電圧まで増加する。
【００４１】
つまり、モード３（Ｍ３）で、キャパシタ（Ｃｘ）、トランジスター（Ｘｒ）、ダイオード（Ｄｘｒ）、インダクター（Ｌｘ）及びパネルキャパシタ（Ｃｐ）に繋がる経路を通じてＸ電極に電流が供給されながら、モード４（Ｍ４）が開始された時点で、インダクター（Ｌｘ）に流れる電流は式（１）の初期値を有する。このように、インダクター（Ｌｘ）がエネルギーを有する状態で共振が発生するので、Ｘ電極の電圧は、インダクター（Ｌｘ）がエネルギーを有していない状態で共振が発生する場合よりも高い電圧まで増加することができる。したがって、従来に比べてエネルギー回収率を増加させることができる。つまり、回路に寄生成分がある場合でも、Ｘ電極の電圧をＶｓ電圧の近くまで充分に増加させることができる。ここで、ΔＶｒは、インダクター（Ｌｘ）がエネルギーを有する状態での経路の寄生成分によるＸ電極の電圧降下値であって、インダクター（Ｌｘ）がエネルギーを有していない状態での経路の寄生成分によるＸ電極の電圧降下値よりも小さい値である。
【００４２】
（５）モード５（Ｍ５）−図５Ｃ参照
モード５（Ｍ５）では、図４のＭ５に示すように、トランジスター（Ｙｇ）が導通した状態でトランジスター（Ｘｓ）を導通し、トランジスター（Ｘｒ）を遮断する。そうすると、電源（Ｖｓ）、トランジスター（Ｘｓ）、パネルキャパシタ（Ｃｐ）、トランジスター（Ｙｇ）及び接地端という電流経路が形成される。したがって、Ｘ電極にＶｓ電圧が印加される。
【００４３】
（６）モード６（Ｍ６）−図５Ｄ参照
モード６（Ｍ６）では、図４のＭ６に示すように、トランジスター（Ｙｇ）が導通した状態でトランジスター（Ｘｆ）を導通し、トランジスター（Ｘｓ）を遮断する。そうすると、接地端、トランジスター（Ｙｇ）のボディーダイオード、パネルキャパシタ（Ｃｐ）、インダクター（Ｌｘ）、ダイオード（Ｄｘｆ）、トランジスター（Ｘｆ）及びキャパシタ（Ｃｘ）という電流経路が形成される。この時、パネルキャパシタ（Ｃｐ）とインダクター（Ｌｘ）との間で共振が発生する。この共振により、パネルキャパシタ（Ｃｐ）に貯蔵されたエネルギーがインダクター（Ｌｘ）を通じてキャパシタ（Ｃｘ）に回収されながら、Ｘ電極の電圧がＶｓ電圧から減少する。理想的には、共振によってＸ電極の電圧が０Ｖ電圧まで減少しなければならないが、トランジスター（Ｘｆ）の電圧降下やダイオード（Ｄｘｆ）の電圧降下、インダクター（Ｌｘ）の漏れ成分及び経路の寄生成分により、Ｘ電極の電圧がΔＶｆ電圧まで減少する。
【００４４】
（７）モード７（Ｍ７）−図５Ｄ参照
モード７（Ｍ７）では、図４のＭ７に示すように、モード６（Ｍ６）のトランジスター（Ｙｇ、Ｘｆ）が導通された状態を所定の期間維持した後に遮断してＸ電極及びＹ電極をフローティングする。そうすると、Ｘ電極の電圧がΔＶｆ電圧に維持され、Ｙ電極の電圧が０Ｖ電圧に維持される。
【００４５】
（８）モード８（Ｍ８）−図５Ｅ参照
モード８（Ｍ８）では、図４のＭ８に示すように、トランジスター（Ｙｒ、Ｘｇ）を導通する。そうすると、キャパシタ（Ｃｙ）、トランジスター（Ｙｒ）、ダイオード（Ｄｙｒ）、インダクター（Ｌｙ）、パネルキャパシタ（Ｃｐ）、トランジスター（Ｘｇ）及び接地端という電流経路が形成される。この時、パネルキャパシタ（Ｃｐ）、トランジスター（Ｘｇ）及び接地端の経路インピーダンスにより、Ｘ電極の電圧がΔＶｆ電圧から０Ｖ電圧まで所定の傾きを有して減少する。このようにＸ電極の電圧がΔＶｆ電圧から０Ｖ電圧まで減少する間に、キャパシタ（Ｃｙ）、トランジスター（Ｙｒ）、ダイオード（Ｄｙｒ）、インダクター（Ｌｙ）及びパネルキャパシタ（Ｃｐ）の経路を通じてＹ電極に電流が供給されるが、Ｙ電極の電圧はほとんど上昇できない。具体的に説明すると、Ｘ電極とＹ電極との間のパネルキャパシタ（Ｃｐ）のために、Ｘ電極の電圧がΔＶｆ電圧だけ減少する間に、Ｙ電極に（ΔＶｆ×Ｃｐ）だけの電流が注入されないと、Ｙ電極の電圧を変わらずに維持することはできない。仮に、電流がＹ電極に全く注入されなければ、Ｘ電極の電圧が減少する分だけＹ電極の電圧もまた減少する。逆に、インダクター（Ｌｙ）を通じてＹ電極に注入される電流量が（ΔＶｆ×Ｃｐ）よりも大きければ、モード８（Ｍ８）の最後にはＹ電極の電圧はその差の分だけ増加することになる。したがって、インダクター（Ｌｙ）に注入される電流が非常に大きくなければ、Ｙ電極の電圧はほとんど上昇せずに維持されているように見えることになる。
【００４６】
このように、インダクター（Ｌｙ）の両端間の電圧がほとんど変わらない状態を維持しているので、インダクター（Ｌｙ）に流れる電流ＩＬｙは、式（２）の状態に増加する。
【数２】
2008077046.tif 000004
【００４７】
ここで、ＶＥＲＣは、キャパシタ（Ｃｙ）に充電されている電圧であり、ΔＴ２はモード８（Ｍ８）の時間である。
【００４８】
（９）モード９（Ｍ９）−図５Ｅ参照
モード９（Ｍ９）では、図４のＭ９に示すように、モード８（Ｍ８）のトランジスター（Ｙｒ、Ｘｇ）が導通された状態を維持する。この時、パネルキャパシタ（Ｃｐ）とインダクター（Ｌｙ）との間で共振が発生する。この共振により、キャパシタ（Ｃｙ）に充電されたエネルギーがインダクター（Ｌｙ）を通じてＹ電極に注入され、Ｙ電極の電圧が０Ｖ電圧から（Ｖｓ−ΔＶｒ）電圧まで増加する。
【００４９】
モード８（Ｍ８）で、キャパシタ（Ｃｙ）、トランジスター（Ｙｒ）、ダイオード（Ｄｙｒ）、インダクター（Ｌｙ）及びパネルキャパシタ（Ｃｐ）に繋がる経路を通じてＹ電極に電流が供給されながら、モード９（Ｍ９）が開始される時点で、インダクター（Ｌｙ）に流れる電流は式（２）の初期値を有する。このように、インダクター（Ｌｙ）がエネルギーを有する状態で共振が発生するので、Ｙ電極の電圧は、インダクター（Ｌｙ）がエネルギーを有していない状態で共振が発生する場合よりも高い電圧まで増加することができる。したがって、従来に比べてエネルギー回収率を増加させることができる。つまり、回路に寄生成分がある場合でも、Ｙ電極の電圧をＶｓ電圧の近くまで充分に増加させることができる。ここで、ΔＶｒは、インダクター（Ｌｙ）がエネルギーを有した状態での経路の寄生成分によるＹ電極の電圧降下値であって、インダクター（Ｌｙ）がエネルギーを有していない状態での経路の寄生成分によるＹ電極の電圧降下値よりも小さい値である。
【００５０】
ただし、図４では、インダクター（Ｌｙ）がエネルギーを有する状態での経路の寄生成分によるＹ電極の電圧降下値と、インダクター（Ｌｘ）がエネルギーを有する状態での経路の寄生成分によるＸ電極の電圧降下値とが互いに同一であるように示したが、トランジスター（Ｘｒ、Ｙｒ）の電圧降下やダイオード（Ｄｘｒ、Ｄｙｒ）の電圧降下、インダクター（Ｌｘ、Ｌｙ）の漏れ成分などの要因により、二つの値が互いに異なる場合もある。
【００５１】
（１０）モード１０（Ｍ１０）−図５Ｆ参照
モード１０（Ｍ１０）では、図４のＭ１０に示すように、トランジスター（Ｘｇ）が導通した状態でトランジスター（Ｙｓ）を導通し、トランジスター（Ｙｒ）を遮断する。そうすると、電源（Ｖｓ）、トランジスター（Ｙｓ）、パネルキャパシタ（Ｃｐ）、トランジスター（Ｘｇ）及び接地端という電流経路が形成される。したがって、Ｙ電極にＶｓ電圧が印加される。
【００５２】
そして、図４に示したような信号タイミングで制御されるプラズマ表示装置において、維持放電回路は、維持期間の間に、モード１乃至１０（Ｍ１−Ｍ１０）の動作を当該サブフィールドの加重値に対応する回数だけ繰り返すことにより、Ｙ電極に０Ｖ電圧とＶｓ電圧を交互に有する維持放電パルスを印加するとともに、Ｘ電極にも０Ｖ電圧とＶｓ電圧を交互に有する維持放電パルスを、Ｙ電極に印加される維持放電パルスと反対位相で印加する。
【００５３】
また、図４に示したプラズマ表示装置の維持放電回路の信号タイミングを図６のように変更しても、エネルギー回収率を向上させることができる。
【００５４】
図６は、図３に示す維持放電回路の他の実施例に係る信号タイミング図であり、図７Ａ及び図７Ｂは、図６の信号タイミングにおける図３に示す維持放電回路の動作を示した図である。
【００５５】
（１１）モード３´（Ｍ３´）−図７Ａ参照
モード２（Ｍ２）の後のモード３´（Ｍ３´）では、トランジスター（Ｘｒ）だけを導通する。このとき、図７Ａに示すようにキャパシタ（Ｃｘ）、トランジスター（Ｘｒ）、インダクター（Ｌｘ）及びパネルキャパシタ（Ｃｐ）という電流経路が発生する（Ａ１）。この電流経路によってインダクター（Ｌｘ）に流れる電流が増加し、Ｘ電極の電圧が増加する。この時、Ｙ電極はフローティング状態にあるので、Ｘ電極とＹ電極との間のキャパシタンスのみが存在するとすれば、Ｘ電極の電圧が急激に増加する。しかし、実質的には、Ａ電極とＸ電極との間のキャパシタンスも存在し、Ａ電極の電圧は維持期間の間は固定されているので、モード３´（Ｍ３´）ではＸ電極に連結されたキャパシタンスはＡ電極とＸ電極との間のキャパシタンスになり、このＡ電極とＸ電極との間のキャパシタンスとインダクター（Ｌｘ）との間の共振が発生するので、Ｘ電極の電圧は非常に急激には増加しない。そして、Ｙ電極がフローティング状態であるので、Ｙ電極の電圧もまた増加して、Ｙ電極の電圧はΔＶｆ以上の電圧になる。
【００５６】
（１２）モード３"（Ｍ３”）−図７Ａ参照
モード３"（Ｍ３"）では、トランジスター（Ｘｒ）が導通した状態でトランジスター（Ｙｇ）を導通する。具体的に説明すると、モード３´（Ｍ３´）では、Ｙ電極の電圧がキャパシタ（Ｃｘ）に充電されている電圧より高くなる前に、トランジスター（Ｙｇ）を導通する。そうすると、図７Ａに示しているように、キャパシタ（Ｃｘ）、トランジスター（Ｘｒ）、ダイオード（Ｄｘｒ）、インダクター（Ｌｘ）、パネルキャパシタ（Ｃｐ）、トランジスター（Ｙｇ）及び接地端という電流経路が形成される（Ａ２）。この時、パネルキャパシタ（Ｃｐ）、トランジスター（Ｙｇ）及び接地端によって形成される経路インピーダンスにより、Ｙ電極の電圧が、ΔＶｆ電圧よりも高い電圧から０Ｖ電圧まで所定の傾きを有して減少する。このようにＹ電極の電圧がΔＶｆ電圧よりも高い電圧から０Ｖ電圧まで減少する間に、キャパシタ（Ｃｘ）、トランジスター（Ｘｒ）、ダイオード（Ｄｘｒ）、インダクター（Ｌｘ）及びパネルキャパシタ（Ｃｐ）に繋がる経路を通じてＸ電極に電流が供給されて、インダクター（Ｌｘ）に流れる電流は、この期間の間継続して急激に増加する。したがって、パネルキャパシタ（Ｃｐ）とインダクター（Ｌｘ）との間で発生する共振により、Ｘ電極の電圧が増加する。したがって、モード４（Ｍ４）が開始される時点では、インダクター（Ｌｘ）は図４の場合よりもさらに大きい初期値を有することになるので、モード４（Ｍ４）ではＸ電極の電圧をＶｓ電圧の近くまでさらに増加させることができる。つまり、図４の場合よりもΔＶｒの値を減らすことができる。
【００５７】
（１３）モード８（Ｍ８´）−図７Ｂ参照
モード７（Ｍ７）の後のモード８´（Ｍ８´）では、トランジスター（Ｙｒ）のみ導通させる。そうすると、図７Ｂに示すように、キャパシタ（Ｃｙ）、トランジスター（Ｙｒ）、インダクター（Ｌｙ）及びパネルキャパシタ（Ｃｐ）の電流経路が発生する（Ｂ１）。この電流経路によってインダクター（Ｌｙ）に流れる電流が増加し、Ｙ電極の電圧が増加する。この時、Ｘ電極はフローティング状態にあるので、Ｘ電極とＹ電極との間のキャパシタンスだけが存在するとすれば、Ｙ電極の電圧が急激に増加する。しかし、実質的には、Ａ電極とＹ電極との間のキャパシタンスも存在し、Ａ電極の電圧は維持期間の間は固定されているので、モード８´（Ｍ８´）でＹ電極に連結されたキャパシタンスは、Ａ電極とＹ電極との間のキャパシタンスになり、このＡ電極とＹ電極との間のキャパシタンスとインダクター（Ｌｙ）との間で共振が発生する。したがって、Ｙ電極の電圧は非常に急激には増加しない。このとき、Ｘ電極はフローティング状態にあるので、Ｘ電極の電圧もまた増加して、Ｘ電極の電圧はΔＶｆ以上の電圧になる。
【００５８】
（１４）モード８"（Ｍ８"）−図７Ｂ参照
モード８"（Ｍ８"）では、トランジスター（Ｙｒ）が導通した状態でトランジスター（Ｘｇ）を導通する。そうすると、図７Ｂに示すように、キャパシタ（Ｃｙ）、トランジスター（Ｙｒ）、ダイオード（Ｄｙｒ）、インダクター（Ｌｙ）、パネルキャパシタ（Ｃｐ）、トランジスター（Ｘｇ）及び接地端という電流経路が形成される（Ｂ２）。この時、パネルキャパシタ（Ｃｐ）、トランジスター（Ｘｇ）及び接地端によって形成される経路インピーダンスにより、Ｘ電極の電圧は、ΔＶｆ電圧より高い電圧から０Ｖ電圧まで所定の傾きを有して減少する。このようにＸ電極の電圧がΔＶｆ電圧より高い電圧から０Ｖ電圧まで減少する間に、キャパシタ（Ｃｙ）、トランジスター（Ｙｒ）、ダイオード（Ｄｙｒ）、インダクター（Ｌｙ）及びパネルキャパシタ（Ｃｐ）に繋がる経路を通じてＹ電極に電流が供給され、インダクター（Ｌｙ）に流れる電流は、この期間の間、継続して急激に増加する。したがって、パネルキャパシタ（Ｃｐ）とインダクター（Ｌｙ）との間に発生する共振により、Ｙ電極の電圧が増加するモード９（Ｍ９）が開始される時点では、インダクター（Ｌｙ）は図４の場合よりもさらに大きい初期値を有することになるので、モード９（Ｍ９）においてＹ電極の電圧を、Ｖｓ電圧の近くまでさらに増加させることができる。つまり、図４の場合よりもΔＶｒの値を減らすことができる。
【００５９】
そして、モード３´（Ｍ３´）、モード３"（Ｍ３"）、モード８´（Ｍ８´）及びモード８"（Ｍ８"）を除いた残りのモード（Ｍ１、Ｍ２、Ｍ４、Ｍ５、Ｍ６、Ｍ７、Ｍ９、Ｍ１０）は図４の信号タイミングと同一であり、このような維持放電回路は、維持期間の間に図６に示したモード１乃至１０（Ｍ１−Ｍ１０）の動作を、当該サブフィールドの加重値に対応する回数だけ繰り返すことにより、Ｙ電極に０Ｖ電圧とＶｓ電圧を交互に有する維持放電パルスを印加するとともに、Ｘ電極には０Ｖ電圧とＶｓ電圧を交互に有する維持放電パルスを、Ｙ電極に印加される維持放電パルスと反対位相で印加する。
【００６０】
以上、本発明の実施例について詳細に説明したが、本発明の権利範囲はこれに限定されるものではなく、特許請求の範囲で定義している本発明の基本概念を利用した当業者の色々な変形及び改良形態についてもまた本発明の権利範囲に属するものである。
【図面の簡単な説明】
【００６１】
【図１】本発明の一実施例に係るプラズマ表示装置の構成を示すブロック図である。
【図２】本発明の一実施例に係るプラズマ表示装置の駆動波形を示す図である。
【図３】本発明の一実施例に係るプラズマ表示装置の維持放電回路の構成を概略的に示す回路図である。
【図４】図３に示すプラズマ表示装置の維持放電回路の一実施例に係る信号タイミング図である。
【図５Ａ】図４に示す各信号タイミングにおける図３の維持放電回路に流れる電流経路を示した図である。
【図５Ｂ】図４に示す各信号タイミングにおける図３の維持放電回路に流れる電流経路を示した図である。
【図５Ｃ】図４に示す各信号タイミングにおける図３の維持放電回路に流れる電流経路を示した図である。
【図５Ｄ】図４に示す各信号タイミングにおける図３の維持放電回路に流れる電流経路を示した図である。
【図５Ｅ】図４に示す各信号タイミングにおける図３の維持放電回路に流れる電流経路を示した図である。
【図５Ｆ】図４に示す各信号タイミングにおける図３の維持放電回路に流れる電流経路を示した図である。
【図６】図３に示すプラズマ表示装置の維持放電回路の他の実施例に係る信号タイミング図である。
【図７Ａ】図６に示す各信号タイミングにおける図３の維持放電回路に流れる電流経路を示した図である。
【図７Ｂ】図６に示す各信号タイミングにおける図３の維持放電回路に流れる電流経路を示した図である。
【符号の説明】
【００６２】
１００  プラズマ表示パネル
１１０  セル
２００  制御部
３００  アドレス電極駆動部
４００  走査電極駆動部
４１０  Ｙ維持放電回路
４１１、５１１  維持放電部 
４１２、５１２  エネルギー回収部 
５００  維持電極駆動部
５１０  Ｘ維持放電回路
【図１】
2008077046.tif 000005
【図２】
2008077046.tif 000006
【図３】
2008077046.tif 000007
【図４】
2008077046.tif 000008
【図５Ａ】
2008077046.tif 000009
【図５Ｂ】
2008077046.tif 000010
【図５Ｃ】
2008077046.tif 000011
【図５Ｄ】
2008077046.tif 000012
【図５Ｅ】
2008077046.tif 000013
【図５Ｆ】
2008077046.tif 000014
【図６】
2008077046.tif 000015
【図７Ａ】
2008077046.tif 000016
【図７Ｂ】
2008077046.tif 000017